(57)【要約】【課題】ＴＡＢテープを傷付けたり変形させることなく給電できるＴＡＢテープ用給電ロールを提供する。【解決手段】ＴＡＢテープ１の給電パターン部４に給電する回転自在な給電部７を有するＴＡＢテープ用給電ロール３において、ＴＡＢテープ１の配線パターン部５に接触され上記給電部７に対して自由に回転するガイドロール８を備えたものである。【選択図】　　　　図１
2004087557.tif 000002
【特許請求の範囲】
【請求項１】
ＴＡＢテープの給電パターン部に給電する回転自在な給電部を有するＴＡＢテープ用給電ロールにおいて、ＴＡＢテープの配線パターン部に接触され上記給電部に対して自由に回転するガイドロールを備えたことを特徴とするＴＡＢテープ用給電ロール。
【請求項２】
上記ガイドロールは、上記給電部の軸に筒状のロール部材を回転自在に設けて構成された請求項１記載のＴＡＢテープ用給電ロール。
【請求項３】
上記ロール部材は樹脂で形成された請求項２記載のＴＡＢテープ用給電ロール。
【発明の詳細な説明】
【０００１】
【発明の属する技術分野】
本発明は、ＴＡＢテープに給電するＴＡＢテープ用給電ロールに関するものである。
【０００２】
【従来の技術】
図２及び図３に示すように、ＴＡＢテープ用めっき装置２０のＴＡＢテープ用給電ロール２１は、案内ロール２２間に張られるＴＡＢテープ１に接触して給電するようになっている。
【０００３】
ＴＡＢテープ用給電ロール２１は、ほぼ円柱状に形成されており、ＴＡＢテープ用めっき装置２０の装置本体部２３にベアリング２４を介して回転自在に設けられた回転軸９に一体に設けられている。回転軸９は、図示しない駆動装置にベベルギヤ２５等からなる動力伝達機構２６を介して連結されており、駆動装置の駆動力を受けて所定の速度で回転駆動されるようになっている。そして、ＴＡＢテープ１の搬送速度と同じ速度でＴＡＢテープ用給電ロール２１を回転させるようになっている。
【０００４】
ＴＡＢテープ用給電ロール２１の一端にはロータリコネクタ２７が設けられており、外部から給電されるようになっている。
【０００５】
また、ＴＡＢテープ用給電ロール２１の外周側には、押えロール２８が弾発的に押し付けられるようになっており、ＴＡＢテープ用給電ロール２１と押えロール２８との間にＴＡＢテープ１を挟んで保持するようになっている。
【０００６】
図４に示すように、ＴＡＢテープ用給電ロール２１の外周には、ＴＡＢテープ１の給電パターン部４に接触して給電するための給電部２９が軸方向に離間して２箇所形成されると共に、ＴＡＢテープ１の配線パターン部５に接触しないようにするための逃がし部３０が形成されている。
【０００７】
逃がし部３０は、２つの給電部２９に挟まれる部分を縮径して形成されており、ＴＡＢテープ１に傷などを付けないようになっている。
【０００８】
【発明が解決しようとする課題】
ところで、近年、ＴＡＢテープ１は薄くなる傾向にあり、かつて厚さ１２０μｍが主流であったのが４０，５０μｍとなり、さらに２５μｍという薄さになっている。
【０００９】
そして、ＴＡＢテープ１が薄くなると、ＴＡＢテープ用給電ロール２１の逃がし部３０の位置でＴＡＢテープ１が形状を維持できなくなり、逃がし部３０にＴＡＢテープ１の配線パターン部５を接触させて配線パターンを傷付けたり、配線パターン部５を折り曲げて折れ線やしわを付けてしまうという課題が生じるようになった。
【００１０】
そこで、本発明の目的は、上記課題を解決し、ＴＡＢテープ１を傷付けたり変形させることなく給電できるＴＡＢテープ用給電ロールを提供することにある。
【００１１】
【課題を解決するための手段】
上記目的を達成するために本発明は、ＴＡＢテープの給電パターン部に給電する回転自在な給電部を有するＴＡＢテープ用給電ロールにおいて、ＴＡＢテープの配線パターン部に接触され上記給電部に対して自由に回転するガイドロールを備えたものである。
【００１２】
ＴＡＢテープを全幅に渡って支持でき、かつ、配線パターン部と摩擦されたときにガイドロールを自由に回転させて力を逃がすことができ、ＴＡＢテープの損傷や変形を防止しながらＴＡＢテープに給電できる。
【００１３】
また、上記ガイドロールは、上記給電部の軸に筒状のロール部材を回転自在に設けて構成されるとよい。
【００１４】
上記ロール部材は樹脂で形成されるとよい。
【００１５】
【発明の実施の形態】
本発明の好適実施の形態を添付図面に基づいて詳述する。
【００１６】
図１は、ＴＡＢテープ１に接触されているＴＡＢテープ用給電ロール３の側面図である。
【００１７】
図１に示すように、ＴＡＢテープ１は、幅方向の両縁に沿って等間隔に複数形成されたスプロケットホール２と、これらスプロケットホール２の幅方向中央側にそれぞれ長手方向に延びて形成され後述するＴＡＢテープ用給電ロール３から給電される給電パターン部４と、これら給電パターン部４の間に長手方向に複数整列して形成され半導体チップ（図示せず）を実装するための配線パターン（図示せず）を有する配線パターン部５とからなる。
【００１８】
給電パターン部４と配線パターン部５の配線パターンは、それぞれ箔状の金属（銅箔）で形成されており、一体形成されるなどして電気的に接続されている。そして、給電パターン部４に給電しながら電解液に配線パターン部５を潜らせることにより、配線パターン部５にメッキ（例えば金メッキ）を施すようになっている。
【００１９】
ＴＡＢテープ用給電ロール３は、断面円形の円柱状に形成されており、軸方向の中央にＴＡＢテープ１を案内するように段状に縮径する縮径部６を有する。縮径部６には、ＴＡＢテープ１の給電パターン部４に給電するための給電部７が設けられると共に、ＴＡＢテープ１の配線パターン部５に対向する位置で自由に回転するガイドロール８が設けられている。
【００２０】
給電部７は、ガイドロール８を軸方向に挟んで２箇所、環状に露出するように形成されており、それぞれ回転軸９と一体に回転するように回転軸９に係合されている。回転軸９は、図示しない駆動装置に連結されており、所定の回転速度で回転駆動されるようになっている。給電部７は、それぞれ鉄や銅等の通電性の良い金属で形成されており、図示しないロータリコネクタを介して給電されるようになっている。
【００２１】
ガイドロール８は、回転軸９の外周に筒状のロール部材１０をベアリング１１を介して回転自在に取り付けて構成されている。すなわち、ガイドロール８は回転軸９の回りを自由に回転するようになっている。
【００２２】
ロール部材１０は、外径を給電部７の外径と略同径に形成されており、耐薬品性があり摩擦係数が小さく重量が軽いテフロン（登録商標）等の樹脂（合成樹脂）で形成されている。そして、ロール部材１０は、回転軸９に取り付けられたときに給電部７と外周の面を合わせるようになっており、ＴＡＢテープ１の配線パターン部５を給電パターン部４と同じ曲面上で支持するようになっている。ロール部材１０の外周面は引っ掛かりのない滑らかな曲面に形成されている。
【００２３】
次に本実施の形態の作用を述べる。
【００２４】
回転軸９が回転駆動されると、回転軸９に係合された給電部７がＴＡＢテープ１の搬送速度と同じ速度で回転する。
【００２５】
ＴＡＢテープ１は、図示しない押えロールによってＴＡＢテープ用給電ロール３に押し付けられているため、給電部７は給電パターン部４に接触して給電する。このとき、ガイドロール８は給電部７と同じ外径に形成されているため、ＴＡＢテープ１の配線パターン部５をその湾曲の内側から支持することができ、ＴＡＢテープ１に無理な力が作用して折れ曲がるのを防ぐことができる。
【００２６】
また、ガイドロール８は、給電部７に対して自由に回転するようになっているため、通常は回転せず、走行する配線パターン部５から力を受けたときのみ回転して力を逃がす。ガイドロール８は、十分軽量な樹脂で形成され、ベアリング１１で円滑に回転するように支持されているため、始動時又は停止時に配線パターン部５に過度な負担をかけることもなく、配線パターン部５に傷が付くのを防ぐことができる。
【００２７】
このように、給電部７に対して自由に回転するガイドロール８でＴＡＢテープ１の配線パターン部５を支持するようにしたため、ＴＡＢテープ１を傷付けたり変形させることなくＴＡＢテープ１の給電パターン部４に給電できる。
【００２８】
また、給電部７の軸たる回転軸９に筒状のロール部材１０を回転自在に設けてガイドロール８を構成したため、簡単な構造で確実にＴＡＢテープ１の損傷や変形を防止できる。
【００２９】
そして、ロール部材１０を樹脂で形成したため、軽量で薬品に強く摩擦係数の小さなロール部材１０を容易に得ることができる。特に、ロール部材１０は箔状の金属で形成される配線パターンより柔らかく、配線パターン部５を傷付けることもない。
【００３０】
また、ロール部材１０をベアリング１１で支持するため、ＴＡＢテープ１の配線パターン部５と摩擦されたときに容易に回転して摩擦力を逃がすことができ、ＴＡＢテープ１の配線パターン部５に負担がかかるのを防ぐことができる。
【００３１】
なお、ロール部材１０はテフロンで形成するものとしたがこれに限るものではない。例えば、ニューライトやポリプロピレン（ＰＰ）、ポリ塩化ビニル（ＰＶＣ）など他の合成樹脂で形成してもよい。また、特に軽量で容易に回転するものであれば鉄などの金属で形成しても構わない。
【００３２】
そして、ロール部材１０は回転軸９の回りを回転するものとしたが、必ずしも同軸上で回転する必要はない。例えば、回転軸９と平行な偏心軸（図示せず）回りを回転するものとしても構わない。
【００３３】
【発明の効果】
以上要するに本発明によれば、次のような優れた効果を奏する。
（１）ＴＡＢテープを傷付けたり変形させることなくＴＡＢテープに給電できる。
【図面の簡単な説明】
【図１】本発明の好適実施の形態を示すＴＡＢテープ用給電ロールの側面図である。
【図２】従来のＴＡＢテープ用めっき装置の側面図である。
【図３】図２の平面図である。
【図４】図３のＩＶ−ＩＶ線矢視図である。
【符号の説明】
１　ＴＡＢテープ
３　ＴＡＢテープ用給電ロール
４　給電パターン部
５　配線パターン部
７　給電部
８　ガイドロール
９　回転軸（軸）
１０　ロール部材
【図１】
2004087557.tif 000003
【図２】
2004087557.tif 000004
【図３】
2004087557.tif 000005
【図４】
2004087557.tif 000006